(57)【特許請求の範囲】
【請求項１】
コンテンツページの一部に表示され、１の広告主によって購入された１の広告露出空間に１の広告主が複数の広告素材を登録し、前記広告素材の増加に応じて前記広告露出空間の広告単価を増加させる広告素材調整部と、
複数の広告ターゲットを設定し、前記広告ターゲットを組み合わせるターゲット設定部と、
前記広告ターゲットの組み合わせに基づいて広告ターゲット領域を設定する領域設定部と、
前記広告ターゲット領域に前記広告素材を連結する素材連結部と、
を備えることを特徴とする素材ターゲット広告システム。
【請求項２】
前記広告ターゲットを組み合わせる場合に予想される露出量を計算する露出量計算部、
をさらに備え、
前記領域設定部は、前記露出量に基づいて前記広告ターゲット領域を設定することを特徴とする請求項１に記載の素材ターゲット広告システム。
【請求項３】
前記広告ターゲットは、特定地域を選択する地域ターゲット、性別を選択する性別ターゲット、および特定年齢を選択する年齢ターゲットのうちの少なくとも１つを含むことを特徴とする請求項１に記載の素材ターゲット広告システム。
【請求項４】
前記地域ターゲットは、地域を選択する区分に応じて一定量の地域をグルーピングしてターゲットすることを特徴とする請求項３に記載の素材ターゲット広告システム。
【請求項５】
前記領域設定部は、前記広告ターゲットの組み合わせに地域ターゲットが含まれた場合に、地域をグルーピングして広告ターゲット領域を設定することを特徴とする請求項４に記載の素材ターゲット広告システム。
【請求項６】
前記領域設定部は、地域ターゲット条件に対応する地域のコードを確認し、前記地域のコードを１つのグループでグルーピングして地域区を生成し、前記地域区のコードを広告ターゲット領域に設定することを特徴とする請求項５に記載の素材ターゲット広告システム。
【請求項７】
前記広告ターゲット領域と、前記広告ターゲット領域と連結した広告素材とを格納して広告を送信する準備をする広告露出部、
をさらに備えることを特徴とする請求項１に記載の素材ターゲット広告システム。
【請求項８】
コンテンツページの一部に表示され、１の広告主によって購入された１の広告露出空間に１の広告主が複数の広告素材を登録するステップと、
複数の広告ターゲットを設定するステップと、
前記広告ターゲットを組み合わせるステップと、
前記広告ターゲットの組み合わせに基づいて広告ターゲット領域を設定するステップと、
前記広告ターゲット領域に前記広告素材を連結するステップと、
を含み、前記広告素材を登録するステップは、前記広告素材の増加に応じて前記広告露出空間の広告単価を増加させることを特徴とする素材ターゲット広告方法。
【請求項９】
前記広告ターゲットを組み合わせる場合に予想される露出量を計算するステップ、
をさらに含み、
前記広告ターゲット領域を設定するステップは、前記露出量に基づいてターゲット領域を設定することを特徴とする請求項８に記載の素材ターゲット広告方法。
【請求項１０】
前記広告ターゲットは、特定地域を選択する地域ターゲット、性別を選択する性別ターゲット、および特定年齢を選択する年齢ターゲットのうちの少なくとも１つを含むことを特徴とする請求項８に記載の素材ターゲット広告方法。
【請求項１１】
前記地域ターゲットは、地域を選択する区分に応じて一定量の地域をグルーピングしてターゲットすることを特徴とする請求項１０に記載の素材ターゲット広告方法。
【請求項１２】
前記広告ターゲット領域を設定するステップは、
前記広告ターゲットの組み合わせに地域ターゲットが含まれた場合に、地域をグルーピングして広告ターゲット領域を設定する地域グルーピングステップ、
を含むことを特徴とする請求項１１に記載の素材ターゲット広告方法。
【請求項１３】
前記地域グルーピングステップは、
地域ターゲット条件に対応する地域のコードを確認するステップと、
前記地域のコードを１つのグループでグルーピングして地域区を生成するステップと、
前記地域区のコードを広告ターゲット領域に設定するステップと、
を含むことを特徴とする請求項１２に記載の素材ターゲット広告方法。
【請求項１４】
前記広告ターゲット領域と、前記広告ターゲット領域と連結した広告素材とを格納して広告を送信する準備をするステップ、
をさらに含むことを特徴とする請求項８に記載の素材ターゲット広告方法。
【請求項１５】
請求項８〜１４のうちのいずれか一項の方法を実行させるためのプログラムを記録したコンピュータ読み取り可能な記録媒体。
【発明の詳細な説明】
【技術分野】
【０００１】
本発明は、アカウント領域を用いた素材ターゲット広告方法およびその方法を実行するシステムに関する。
【背景技術】
【０００２】
従来には、オフライン上の広告板を用いた広告や、ＴＶやラジオを用いてユーザに一方的に広告内容を提供する広告などが主流であったが、ネットワーク関連技術の発展に伴い、ネットワークを介してサーバに接続する場合に表示されるコンテンツページの一部に広告内容を表示するオンライン広告が増加するようになった。
【０００３】
従来のオンライン広告は、一定回数をユーザに露出するように保証する露出量条件による契約が主流であった。したがって、広告が露出されるコンテンツページの露出量に対する予測が必要になった。
【０００４】
また、従来のオンライン広告は、特定ユーザのみに広告を露出するようにする方法がなく、特定ユーザのための広告内容もすべてのユーザに露出されるため、広告の露出量に比べて広告主が所望するユーザに広告の露出される量が相対的に少ないという問題点があった。
【０００５】
したがって、広告主が所望するユーザのみに広告を露出し、広告主が所望するユーザへの露出量を予測し、予測された露出量に基づいて広告主に課金することができる方法やシステムが必要な実情にある。
【発明の概要】
【発明が解決しようとする課題】
【０００６】
本発明は、上述した問題点を解決するために案出されたものであって、広告主が提供する複数の広告素材を登録することができる１つの広告露出空間であるアカウント領域を広告主に提供することで、アカウント領域を購買した広告主が複数の広告素材を登録し、ユーザに対応して１つの広告場所でそれぞれ異なる広告素材を露出することができる素材ターゲット広告システムを提供することを目的とする。
【０００７】
また、本発明は、広告主が限定したユーザに広告が露出される確率を予想し、それに応じて広告が露出される領域を設定することで、広告主が所望するユーザに露出される確率を増加させることができる素材ターゲット広告システムを提供することを他の目的とする。
【０００８】
さらに、本発明は、広告主が限定したユーザに広告が露出される確率を予想し、それに応じて広告が露出される領域を設定することで、一定以上の露出量を保障し、限定されたユーザが少なくて広告の露出可能性が少ないにもかかわらず、広告提供社が広告露出のための必要以上の余裕資源を維持することを防ぐこともできる素材ターゲット広告システムを提供することをさらに他の目的とする。
【課題を解決するための手段】
【０００９】
上述した目的を達成するために、本発明の一実施形態に係る素材ターゲット広告システムは、コンテンツページの一部に表示され、１の広告主によって購入された１の広告露出空間に１の広告主が複数の広告素材を登録し、前記広告素材の増加に応じて前記広告露出空間の広告単価を増加させる広告素材調整部と、複数の広告ターゲットを設定し、前記広告ターゲットを組み合わせるターゲット設定部と、前記広告ターゲットの組み合わせに基づいて広告ターゲット領域を設定する領域設定部と、前記広告ターゲット領域に前記広告素材を連結する素材連結部とを備える。
【００１０】
本発明の一側面によれば、前記広告ターゲットを組み合わせる場合に予想される露出量を計算する露出量計算部をさらに備え、前記領域設定部は、前記露出量に基づいて前記広告ターゲット領域を設定することができる。
【００１２】
本発明の一側面によれば、前記素材連結部は、前記広告ターゲット領域別にそれぞれ異なる広告素材を連結することができる。
【００１３】
本発明の一側面によれば、前記広告ターゲットは、特定地域を選択する地域ターゲット、性別を選択する性別ターゲット、および特定年齢を選択する年齢ターゲットのうちの少なくとも１つを含むことができる。
【００１４】
本発明の一側面によれば、前記地域ターゲットは、地域を選択する区分に応じて一定量の地域をグルーピングしてターゲットすることができる。
【００１５】
本発明の一側面によれば、前記領域設定部は、前記広告ターゲットの組み合わせに地域ターゲットが含まれた場合に、地域をグルーピングして広告ターゲット領域を設定することができる。
【００１６】
本発明の一側面によれば、前記領域設定部は、地域ターゲット条件に対応する地域のコードを確認し、前記地域のコードを１つのグループでグルーピングして地域区を生成し、前記地域区のコードを広告ターゲット領域に設定することができる。
【００１７】
本発明の一実施形態に係る素材ターゲット広告方法は、コンテンツページの一部に表示され、１の広告主によって購入された１の広告露出空間に１の広告主が複数の広告素材を登録するステップと、複数の広告ターゲットを設定するステップと、前記広告ターゲットを組み合わせるステップと、前記広告ターゲットの組み合わせに基づいて広告ターゲット領域を設定するステップと、前記広告ターゲット領域に前記広告素材を連結するステップとを含み、前記広告素材を登録するステップは、前記広告素材の増加に応じて前記広告露出空間の広告単価を増加させる。
【発明の効果】
【００１８】
本発明によれば、広告主が提供する複数の広告素材を登録することができる１つの広告露出空間であるアカウント領域を広告主に提供することで、アカウント領域を購買した広告主が複数の広告素材を登録し、ユーザに対応して１つの広告場所でそれぞれ異なる広告素材を露出することができる。
【００１９】
また、本発明によれば、広告主が限定したユーザに広告が露出される確率を予想し、それに応じて広告が露出される領域を設定することで、広告主が所望するユーザに露出される確率を増加させることができる。
【００２０】
本発明によれば、広告主が限定したユーザに広告が露出される確率を予想し、それに応じて広告が露出される領域を設定することで、一定以上の露出量を保障し、限定されたユーザが少なくて広告の露出可能性が少ないにもかかわらず、広告提供社が広告露出のための必要以上の余裕資源を維持することを防ぐこともできる。
【図面の簡単な説明】
【００２１】
【図１】本発明の一実施形態に係る素材ターゲット広告システムを示す構成図である。
【図２】本発明の一実施形態に係る素材ターゲット広告システムで露出される画面を示す一例である。
【図３】本発明の一実施形態において、素材ターゲット広告方法を示すフローチャートである。
【図４】本発明の一実施形態において、地域をグルーピングする方法を示すフローチャートである。
【図５】本発明の一実施形態に係る地域をグルーピングする方法で露出される画面を示す一例である。
【発明を実施するための形態】
【００２２】
以下、添付の図面を参照しながら、本発明に係る多様な実施形態について詳しく説明する。
【００２３】
図１は、本発明の一実施形態に係る素材ターゲット広告システム１００を示す構成図である。
【００２４】
図１を参照すれば、素材ターゲット広告システム１００は、広告素材調整部１０１で広告素材の数を調整すれば、ターゲット設定部１０２が複数の広告ターゲットを設定し、この広告ターゲットを組み合わせる。このとき、露出量計算部１０３が広告ターゲットを組み合わせる場合に予想される露出量を計算すれば、領域設定部１０４が露出量に基づいて広告ターゲット領域を設定し、素材連結部１０５が広告ターゲット領域に広告素材を連結するようになる。
【００２５】
このとき、広告素材部１０１は、１つの広告露出空間に１人の広告主が提供する複数の広告素材を登録することができ、１人の広告主が登録した広告素材の数に応じて広告の露出に対する単価を変化させることができる。
【００２６】
このとき、１人の広告主が提供する複数の広告素材を登録することができる１つの広告露出空間をアカウント領域と言うことができる。このとき、アカウント領域は、基本として２つの素材を登録することができる。
【００２７】
このとき、ターゲット設定部１０２は、広告主が広告を露出しようとする対象に対するターゲット設定を格納し、複数のターゲット設定を組み合わせて格納することもできる。このとき、ターゲット設定部１０２は、特定地域を選択する地域ターゲット、性別を選択する性別ターゲット、および特定年齢を選択する年齢ターゲットのうちの１つ以上を含むことができる。
【００２８】
このとき、地域ターゲットは、地域を選択する区分に応じて一定量の地域をグルーピングしてターゲットすることができる。このとき、地域を選択する区分は、選挙区に応じて区分する方法、学群に応じて区分する方法、行政地域に応じて区分する方法、および特定素材に隣接するか否かに応じて区分する方法のうちの少なくとも１つを含むことができる。
【００２９】
このとき、露出量計算部１０３は、一定期間前のターゲット設定部１０２で設定されたターゲットに対応するユーザの露出量を確認し、確認された露出量に基づいてターゲットに対応するユーザの露出量を予測することができる。
【００３０】
このとき、領域設定部１０４は、広告ターゲットの組み合わせに地域ターゲットが含まれた場合に、地域をグルーピングして広告ターゲット領域を設定することができる。このとき、領域設定部１０４は、地域ターゲット条件に対応する地域のコードを確認し、地域コードのうちの一部を１つのグループでグルーピングすることによって地域区を生成し、地域区のコードを広告ターゲット領域に設定することができる。
【００３１】
このとき、素材連結部１０５は、広告ターゲット領域別に広告素材部１０１に登録したそれぞれ異なる広告素材を連結することができる。
【００３２】
このとき、広告露出部１０６は、広告ターゲット領域と、広告ターゲット領域と連結した広告素材とを格納して広告を送信する準備をすることができる。このとき、広告露出部１０６は、広告が露出されるコンテンツページに接続したユーザがどのような広告ターゲット領域に対応するかを確認し、ユーザが対応する広告ターゲット領域と連結した広告素材をコンテンツページに露出することができる。
【００３３】
このとき、広告露出部１０６は、ブラウザクッキー情報とログインクッキー情報とをマッピングしたブラウザ−ログインマッピング情報を予め記録し、ブラウザ−ログインマッピング情報から広告サーバに接続したウェブブラウザのユーザプロフィール情報を識別することで、ユーザプロフィール情報と関連した広告ターゲット領域を確認し、広告ターゲット領域と連結した広告素材を提供することができる。
【００３４】
図２は、本発明の一実施形態に係る素材ターゲット広告システム１００で露出される画面を示す一例である。
【００３５】
素材ターゲット広告システム１００は、ソウル市、２０〜３０代、男性のターゲットを組み合わせた第１ターゲット領域と、仁川市、女性のターゲットを組み合わせた第２ターゲット領域と、城南市、甲選挙区を組み合わせた第３ターゲット領域と、安養市、Ａ学群を組み合わせた第４ターゲット領域とを含むことができる。このとき、第１ターゲット領域にはガソリンスタンドに対する広告素材が連結され、第２ターゲット領域には女性衣類に対する広告素材が連結され、第３ターゲット領域には甲選挙区における選挙に対する広告素材が連結され、第４ターゲット領域にはＡ学群に属する学校に対する広告素材が連結されることができる。
【００３６】
このとき、図２を参考すれば、本発明の一実施形態に係る素材ターゲット広告システム１００は、ソウル市に位置したユーザがコンテンツページに接続すれば、ソウル市のターゲットが組み合わされた第１ターゲット領域に対応するユーザであるかを検索し、このユーザが第１ターゲット領域に対応すれば、ガソリンスタンドに対する広告素材２１１が露出されるガソリンスタンド広告コンテンツページ２１０をユーザに提供することができる。
【００３７】
このとき、素材ターゲット広告システム１００は、仁川市に位置したユーザがコンテンツページに接続すれば、仁川市のターゲットが組み合わされた第２ターゲット領域に対応するユーザであるかを検索し、このユーザが第２ターゲット領域に対応すれば、女性衣類に対する広告素材２２１が露出される衣類広告コンテンツページ２２０をユーザに提供することができる。
【００３８】
このとき、素材ターゲット広告システム１００は、城南市に位置したユーザがコンテンツページに接続すれば、城南市のターゲットが組み合わされた第３ターゲット領域に対応するユーザであるかを検索し、このユーザが第３ターゲット領域に対応すれば、甲選挙区に対する広告素材２３１が露出される選挙広告コンテンツページ２３０をユーザに提供することができる。
【００３９】
このとき、素材ターゲット広告システム１００は、安養市に位置したユーザがコンテンツページに接続すれば、安養市のターゲットが組み合わされた第４ターゲット領域に対応するユーザであるかを検索し、このユーザが第４ターゲット領域に対応すれば、Ａ学群に属する学校に対する広告素材２４１が露出される学校広告コンテンツページ２４０をユーザに提供することができる。
【００４０】
このように、本発明の一実施形態に係るアカウント領域を用いた素材ターゲット広告システムは、１人の広告主が契約した１つの広告露出空間が含まれたコンテンツページに接続するユーザに対応して、複数の広告素材のうちからユーザに適する広告を提供することができる。
【００４１】
図３は、本発明の一実施形態において、素材ターゲット広告方法を示すフローチャートである。
【００４２】
ステップＳ３０１で、広告素材調整部１０１は、アカウント領域に登録された広告素材の数を調整して登録する。
【００４３】
このとき、広告素材調整部１０１は、アカウント領域に登録された広告素材の数を増加したり減少したりすることができる。このとき、広告素材調整部１０１は、広告素材の数を増加する場合には広告の露出のための費用である広告単価を増加させ、広告素材の数を減少する場合には広告単価を減少させることができる。
【００４４】
ステップＳ３０２で、ターゲット設定部１０２は、複数の広告ターゲットを設定する。このとき、ターゲット設定部１０２は、特定地域を選択する地域ターゲット、性別を選択する性別ターゲット、および特定年齢を選択する年齢ターゲットのうちの１つ以上を含むことができる。
【００４５】
このとき、地域ターゲットは、地域を選択する区分に応じて一定量の地域をグルーピングしてターゲットすることができる。このとき、地域を選択する区分は、選挙区に応じて区分する方法、学群に応じて区分する方法、行政地域に応じて区分する方法、および特定素材に隣接するか否かに応じて区分する方法のうちの少なくとも１つを含むことができる。
【００４６】
ステップＳ３０３で、ターゲット設定部１０２は、ステップＳ３０２で設定されたターゲットを組み合わせる。このとき、ターゲット設定部１０２は、広告主の要求に対応して広告主が広告を提供する対象を限定するために、ターゲットを組み合わせることができる。
【００４７】
ステップＳ３０４で、露出量計算部１０３は、ステップＳ３０３で組み合わされたターゲットによる露出量を計算する。このとき、露出量計算部１０３は、一定期間前のターゲット設定部１０２で設定されたターゲットに対応するユーザの露出量を確認し、確認された露出量に基づいて組み合わされたターゲットに対応するユーザの露出量を予測することができる。
【００４８】
ステップＳ３０５で、領域設定部１０４は、ステップＳ３０４で計算された露出量に基づいて広告ターゲット領域を設定する。このとき、領域設定部１０４は、広告ターゲットの組み合わせに地域ターゲットが含まれた場合に、地域をグルーピングして広告ターゲット領域を設定することができる。地域をグルーピングする方法については、図４を参照しながらより詳しく説明する。
【００４９】
ステップＳ３０６で、素材連結部１０５は、ステップＳ３０５で設定された広告ターゲット領域に、ステップＳ３０３に登録された広告素材を連結する。このとき、素材連結部１０５は、広告ターゲット領域別に広告素材部１０１に登録したそれぞれ異なる広告素材を連結することができる。
【００５０】
ステップＳ３０７で、広告露出部１０６は、広告ターゲット領域と、広告ターゲット領域と連結した広告素材とを格納して広告を送信する準備をすることができる。
【００５１】
このとき、広告露出部１０６は、ブラウザクッキー情報とログインクッキー情報とをマッピングしたブラウザ−ログインマッピング情報を予め記録し、ブラウザ−ログインマッピング情報から広告サーバに接続したウェブブラウザのユーザプロフィール情報を識別することで、ユーザプロフィール情報と関連した広告ターゲット領域を確認し、広告ターゲット領域と連結した広告素材を提供することができる。
【００５２】
このように確認された素材ターゲット広告方法については、図４の一例を参照しながらより詳しく説明する。
【００５３】
図４は、本発明の一実施形態において、地域をグルーピングする方法を示すフローチャートである。ここで、ステップＳ４０１〜ステップＳ４０３は、図４に示すように、図３を参照しながら説明したステップＳ３０５に含まれることができる。
【００５４】
ステップＳ４０１で、領域設定部１０４は、広告を露出する地域の地域コードを確認する。
【００５５】
ステップＳ４０２で、領域設定部１０４は、ステップＳ４０１で確認された地域コードから一部を抽出し、１つのグループでグルーピングすることによって地域区を生成する。このとき、グループは、ステップＳ３０２で設定された地域ターゲットに基づいてグルーピングすることができる。
【００５６】
このとき、グルーピング過程は、自動で実行することもできるし、広告主や広告製作者が手動で所望する地域をグルーピングすることもできる。
【００５７】
ステップＳ４０２で、領域設定部１０４は、ステップＳ４０２で生成された地域区のコードを広告ターゲット領域として設定する。このとき、素材連結部１０５が広告素材と広告ターゲット領域とを連結しようとすれば、広告素材を地域区のコードと連結するようにできる。
【００５８】
このように確認された地域をグルーピングする方法については、図５の一例を参照しながらより詳しく説明する。
【００５９】
図５は、本発明の一実施形態に係る地域をグルーピングする方法で露出される画面を示す一例である。
【００６０】
領域設定部１０４は、広告を露出する地域の全体地域コードリスト５１０と、広告ターゲット領域に含まれる領域地域コードリスト５２０とを生成する。
【００６１】
このとき、領域地域コードリスト５２０は、広告ターゲット領域のコードが記載される地域区コード５２１と、広告ターゲット領域の名称が記載される地域区名称５２２と、広告ターゲット領域を登録した設定者が記載される登録者５２３と、広告ターゲット領域の生成日が記載される生成日５２４と、広告ターゲット領域に含まれる設定地域コードリスト５２５とを含むことができる。
【００６２】
このとき、地域区名称５２２は、地域を選択する区分に基づいて分類された名称を用いることができる。例えば、地域を選択する区分が選挙区に応じて区分される方法であれば、図５に示すように、甲選挙区のような名称を用いることができる。
【００６３】
このとき、領域設定部１０４は、領域地域コードリスト５２０に含まれた地域コードを全体地域コードリスト５１０に手動移動して復旧させることができる復旧アイコン５３０と、全体地域コードリスト５１０に含まれた地域コードを領域地域コードリスト５２０に手動移動して追加することができる追加アイコン５４０とをさらに含むことができる。
【００６４】
このように、本発明の一実施形態に係るアカウント領域を用いた素材ターゲット広告システムは、１つのアカウント領域を購買した広告主が複数の広告素材を登録し、ユーザに対応して１つの広告場所でそれぞれ異なる広告素材を露出することができる。
【００６５】
また、広告主が限定したユーザに広告が露出される確率を予想し、それに応じて広告が露出される領域を設定することで、広告主が所望するユーザに露出される確率を増加させることができる。
【００６６】
さらに、広告主が限定したユーザに広告が露出される確率を予想し、それに応じて広告が露出される領域を設定することで、一定以上の露出量を保障し、限定されたユーザが少なくて広告の露出可能性が少ないにもかかわらず、広告提供社が広告露出のための必要以上の余裕資源を維持することを防ぐこともできる。
【００６７】
なお、本発明に係る実施形態は、コンピュータにより実現される多様な動作を実行するためのプログラム命令を含むコンピュータ読取可能な記録媒体を含む。当該記録媒体は、プログラム命令、データファイル、データ構造などを単独または組み合わせて含むこともでき、記録媒体およびプログラム命令は、本発明の目的のために特別に設計されて構成されたものでもよく、コンピュータソフトウェア分野の技術を有する当業者にとって公知であり使用可能なものであってもよい。コンピュータ読取可能な記録媒体の例としては、ハードディスク、フロッピー登録商標ディスク及び磁気テープのような磁気媒体、ＣＤ−ＲＯＭ、ＤＶＤのような光記録媒体、フロプティカルディスクのような磁気−光媒体、およびＲＯＭ、ＲＡＭ、フラッシュメモリなどのようなプログラム命令を保存して実行するように特別に構成されたハードウェア装置が含まれる。また、記録媒体は、プログラム命令、データ構造などを保存する信号を送信する搬送波を含む光または金属線、導波管などの送信媒体でもある。プログラム命令の例としては、コンパイラによって生成されるような機械語コードだけでなく、インタプリタなどを用いてコンピュータによって実行され得る高級言語コードを含む。前記したハードウェア要素は、本発明の動作を実行するために一以上のソフトウェアモジュールとして作動するように構成することができ、その逆もできる。
【００６８】
上述したように、本発明の好ましい実施形態を参照して説明したが、該当の技術分野において熟練した当業者にとっては、特許請求の範囲に記載された本発明の思想および領域から逸脱しない範囲内で、本発明を多様に修正および変更させることができることを理解することができるであろう。すなわち、本発明の技術的範囲は、特許請求の範囲に基づいて定められ、発明を実施するための最良の形態により制限されるものではない。
【符号の説明】
【００６９】
１００：素材ターゲット広告システム
１０１：広告素材調整部
１０２：ターゲット設定部
１０３：露出量計算部
１０４：領域設定部
１０５：素材連結部
１０６：広告露出部
【図１】
0005485587.tif 000002
【図２】
0005485587.tif 000003
【図３】
0005485587.tif 000004
【図４】
0005485587.tif 000005
【図５】
0005485587.tif 000006